(57)【要約】本発明は、内部に、電源を供給するバッテリーと、モバイル器機と通信する通信モジュールと、薬の服用時間を知らせるお知らせランプとスピーカー及び前記お知らせランプとスピーカーを作動させるコントローラが設けられた本体；及び前記本体に脱着可能に結合され、上部に蓋とドアが備えられ、内部に薬が収納される複数個の受納スペースに区切られた受納ケース；を含み、且つ、前記通信モジュールは、ユーザのモバイル器機とワイファイまたはブルートゥース（登録商標）で連結され、前記モバイル器機に備えられたアプリケーションからお知らせ信号を受信すると、前記コントローラが前記お知らせランプとスピーカーを作動させてユーザに服用時間をお知らせし、ユーザが前記本体に備えられたお知らせ終了ボタンや前記アプリケーションの確認ボタンを押し忘れてユーザの服用事実が確認されない場合、前記通信モジュールまたはアプリケーションが予め指定されたモバイル機器に未服用情報に関するお知らせメッセージを発送することを特徴とするお知らせ機能を備えたスマート薬ケース及びそのセットを提供する。【選択図】図２
2018537134.tif 000002
【特許請求の範囲】
【請求項１】
内部に、電源を供給するバッテリーと、モバイル器機と通信する通信モジュールと、薬の服用時間を知らせるお知らせランプと、スピーカー、及び、前記お知らせランプとスピーカーを作動させるコントローラが設けられた本体；及び、
前記本体に脱着可能に結合され、上部に蓋とドアが備えられ、内部に薬が収納される複数個の受納スペースに区切られた受納ケース；を含み、且つ、
前記通信モジュールは、ユーザのモバイル器機とワイファイまたはブルートゥース（登録商標）で連結され、前記モバイル器機に備えられたアプリケーションからお知らせ信号を受信すると、前記コントローラが前記お知らせランプとスピーカーを作動させてユーザに服用時間をお知らせし、ユーザが前記本体に備えられたお知らせ終了ボタンや前記アプリケーションの確認ボタンを押し忘れてユーザの服用事実が確認されない場合、前記通信モジュールまたはアプリケーションが予め指定されたモバイル機器に未服用情報に関するお知らせメッセージを発送することを特徴とする、お知らせ機能を備えたスマート薬ケース。
【請求項２】
前記本体は、電源を供給するバッテリーが内部に装着され、内部に通信モジュールとコントローラが設けられ、上部にお知らせランプとお知らせ終了ボタンが形成されたセンター部と、前記センター部の一側に突出するように連結されてスピーカーが形成された突出部とからなり、
前記受納ケースは、前記センター部の外側に脱着可能に結合されて前記突出部に連結され、上部に蓋が備えられ、内部に薬が収納される複数個の受納スペースに区切られ、前記蓋の一部分が開閉するようにドアが形成され、
前記本体と収納ケースの外側の一部を包んで連結する外部ケース；をさらに含む、請求項１に記載のお知らせ機能を備えたスマート薬ケース。
【請求項３】
前記受納スペースは、内部の角部がラウンド状に形成されたことを特徴とする、請求項１に記載のお知らせ機能を備えたスマート薬ケース。
【請求項４】
前記蓋は、半透明材質からなり、上部面がＵＶコーティングされたことを特徴とする、請求項１に記載のお知らせ機能を備えたスマート薬ケース。
【請求項５】
前記ドアは、一側が前記受納スペースにヒンジ結合され、他側に開閉片が外側に突出形成され、下部にパッキングが形成されていることを特徴とする、請求項１に記載のお知らせ機能を備えたスマート薬ケース。
【請求項６】
前記外部ケースは、弾性材質からなり、分離が可能であり、且つ、前記収納ケースの外周面を包む側部片と、前記側部片の上下段部からそれぞれ内側に延長形成され、前記本体と受納ケースを支持する上下部片を含む、請求項２に記載のお知らせ機能を備えたスマート薬ケース。
【請求項７】
前記外部ケースは、環が形成されていることを特徴とする、請求項２に記載のお知らせ機能を備えたスマート薬ケース。
【請求項８】
請求項１ないし請求項７から選択されたいずれか一項に記載のスマート薬ケースと、
前記本体と分離した受納ケースを複数個積層して保管するためのステーション；を含む、お知らせ機能を備えたスマート薬ケースセット。
【発明の詳細な説明】
【技術分野】
【０００１】
本発明は、内部に薬を入れて保管する薬ケースに関し、より詳細には、薬の服用時間を知らせるお知らせ機能を備え、携帯用で簡便に使用することができるお知らせ機能を備えたスマート薬ケースに関する。
【背景技術】
【０００２】
一般的に患者を治療するとき、治療手段として薬を適切に服用して薬剤の持続性を維持することは、治療過程において最も重要なことである。
【０００３】
現代人の場合、記憶のみに依存して薬を服用するため、職場に出勤して仕事に集中したり、他の事に没頭したり、外出したりする場合、自分も知らないうちに薬の服用を忘れることがよくあり、それによって薬効が下がり、治療効果も減少して患者の健康も悪くなる。また、記憶のみに依存して薬を服用すると、薬を服用した事実を忘れて薬を２回重複して誤って服用することもある。
【０００４】
特に、癌、リウマチ関節炎、糖尿病、甲状腺障害、慢性肝炎、慢性腎不全症、胃十二指腸潰瘍、高血圧、高脂血症など慢性疾患者の場合、服用期間中に、薬の服用をよく欠かしたり、重複して薬を服用したりすると、ますます病状が悪くなって危なくなる。
【０００５】
もちろん、薬局で薬を調剤するとき、服用日数による仕分けと服用時間及び回数を薬包紙に表示して提供しているが、患者が記憶のみに依存して薬を服用する場合、このような問題を解決することができない。
【０００６】
一例として、図１ａ及び図１ｂに示された韓国で発行された薬剤師新聞の報道によると、慢性疾患者の半分ほどが病院で処方を受けた薬を薬局で購入した後、服用を忘れた経験があり、これは若者及び会社員であればあるほど割合が高いものとなっていた。また、適切に薬を服用せず、残っている薬があると答えた応答者は全体の４８％であり、薬の服用を忘れないために努力する患者が全体の７３％に達しているが、その対処法としては服用する薬を目立つ位置に置くか、服用時間を予め決めておいた後、記憶に依存して薬を服用することであった。
【０００７】
このような問題を解決するために、ケースの内部に薬を入れて保管した後、携帯して持ち運び、服用時間になると薬を取り出して服用する携帯用薬ケースが開発された。
【０００８】
すなわち、従来技術として、特許文献１には、長尺の円筒形の分割された受納ケースを構成し、上段収納部に薬剤を受納するようにし、上段開口部には、内蓋と外側に固定締結ピンを一体に構成した外蓋とを締結すると共に、収納ケースの下段収納締結部には、筆記具を締結及び収納可能にすることを特徴とした携帯用薬ケースが開示されている。
【０００９】
さらに、従来技術として、特許文献２には、蓋が薬ケースの上部にねじ式で結合されるが、蓋の上面に突出形成され、上部が開口された引き出し入口と、引き出し入口の外周縁に折り片で一体に連結されたカバーと、引き出し入口の内部に備えられ、多数の切開部を有する通孔が形成され、柔軟な弾性材からなる調節口からなる定量引き出し薬ケースが開示されている。
【００１０】
しかし、前述の従来技術は、保管及び携帯が不便であり、毎日または周期的に薬ケースの内部に服用する薬を受納したり、入れ替らなければならないので、使用が不便であり、外部環境と衝撃に弱く、薬が変質したり、ケースが破損される恐れがあり、また、モバイル器機のアプリケーションと連動して薬の服用時間を正確に知らせるスマートな薬ケースは開発されていない。
【先行技術文献】
【特許文献】
【００１１】
【特許文献１】韓国公開実用新案第１９９９−００４０４９７号公報
【特許文献２】韓国登録実用新案第２０−０１６８４２７号公報
【発明の開示】
【発明が解決しようとする課題】
【００１２】
本発明は、前述の問題をいずれも解決するために案出されたもので、モバイル器機のアプリケーションと連動して薬の服用時間になると、お知らせランプとスピーカーによってお知らせが行われ、ユーザが薬の服用を忘れた場合、本人及び周りの人に未服用情報に関するお知らせメッセージを発送して未服用情報を知らせるので、ユーザは服用時間を正確に守って薬を欠かすことなく服用することができるお知らせ機能を備えたスマート薬ケースの提供にその目的がある。
【００１３】
さらに、本発明は、本体と受納ケースを容易に分離することができ、曜日別に薬ケースを入れ替えて使用することができるので便利であり、日光、湿気、細菌汚染などの外部環境と衝撃に強く、薬を衛生的に保管することができ、薬ケースが破損されにくく、コンパクトでオシャレな見掛けを有しており、アクセサリーのように身に着けて携帯して持ち運ぶことができるお知らせ機能を備えたスマート薬ケースの提供にも、その目的がある。
【課題を解決するための手段】
【００１４】
前記課題を解決するために、本発明は、内部に、電源を供給するバッテリーと、モバイル器機と通信する通信モジュールと、薬の服用時間を知らせるお知らせランプとスピーカー及び前記お知らせランプとスピーカーを作動させるコントローラが設けられた本体；及び前記本体に脱着可能に結合され、上部に蓋とドアが備えられ、内部に薬が収納される複数個の受納スペースに区切られた受納ケース；を含み、且つ、前記通信モジュールは、ユーザのモバイル器機とワイファイまたはブルートゥース（登録商標）で連結され、前記モバイル器機に備えられたアプリケーションからお知らせ信号を受信すると、前記コントローラが前記お知らせランプとスピーカーを作動させてユーザに服用時間をお知らせし、ユーザが前記本体に備えられたお知らせ終了ボタンや前記アプリケーションの確認ボタンを押し忘れてユーザの服用事実が確認されない場合、前記通信モジュールまたはアプリケーションが予め指定されたモバイル機器に未服用情報に関するお知らせメッセージを発送することを特徴とするお知らせ機能を備えたスマート薬ケースを提供する。
【００１５】
さらに、前記本体は、電源を供給するバッテリーが内部に装着され、内部に通信モジュールとコントローラが設けられ、上部にお知らせランプとお知らせ終了ボタンが形成されたセンター部と、前記センター部の一側に突出するように連結されてスピーカーが形成された突出部とからなり、前記受納ケースは、前記センター部の外側に脱着可能に結合されて前記突出部に連結され、上部に蓋が備えられ、内部に薬が収納される複数個の受納スペースに区切られ、前記蓋の一部分が開閉するようにドアが形成され、前記本体と収納ケースの外側の一部を包んで連結する外部ケース；をさらに含むことにもその特徴がある。
【００１６】
このとき、前記受納スペースは、内部の角部がラウンド状に形成されたことにもその特徴がある。
【００１７】
さらに、前記蓋は、半透明材質からなり、上部面がＵＶコーティングされたことにもその特徴がある。
【００１８】
そのうえ、前記ドアは、一側が前記受納スペースにヒンジ結合され、他側に開閉片が外側に突出形成され、下部にパッキングが形成されていることにもその特徴がある。
【００１９】
そして、前記外部ケースは、弾性材質からなり、分離が可能であり、且つ、前記収納ケースの外周面を包む側部片と、前記側部片の上下段部からそれぞれ内側に延長形成され、前記本体と受納ケースを支持する上下部片を含むことにもその特徴がある。
【００２０】
さらに、前記外部ケースは、環が形成されていることにもその特徴がある。
【００２１】
併せて、前記スマート薬ケースと、前記本体と分離した受納ケースを複数個積層して保管するためのステーション；を含むお知らせ機能を備えたスマート薬ケースセットを提供する。
【発明の効果】
【００２２】
本発明によると、モバイル器機のアプリケーションと連動して薬の服用時間になると、お知らせランプとスピーカーによってお知らせが行われ、ユーザが薬の服用を忘れた場合、本人及び周りの人に未服用情報に関するお知らせメッセージを発送して未服用情報を知らせるので、ユーザは服用時間を正確に守って薬を欠かすことなく服用することができる効果がある。
【００２３】
さらに、本発明は、本体と受納ケースを容易に分離することができ、曜日別に薬ケースを入れ替えて使用することができるので便利であり、日光、湿気、細菌汚染などの外部環境と衝撃に強く、薬を衛生的に保管することができ、薬ケースが破損されにくく、コンパクトでオシャレな見掛けを有しており、アクセサリーのように身に着けて携帯して持ち運ぶことができる効果がある。
【図面の簡単な説明】
【００２４】
【図１ａ】２０１３年４月５日付の薬剤師新聞に報道された薬の服用に対するアンケート調査の結果を示した図面である。
【図１ｂ】２０１３年４月５日付の薬剤師新聞に報道された薬の服用に対するアンケート調査の結果を示した図面である。
【図２】本発明の実施例によるスマート薬ケースの結合斜視図である。
【図３ａ】本発明の実施例によるスマート薬ケースの分離斜視図である。
【図３ｂ】本発明の実施例によるスマート薬ケースの分離斜視図である。
【図４ａ】本発明の実施例によるスマート薬ケースの正面図である。
【図４ｂ】モバイル器機と連動して作動するスマート薬ケースの正面図である。
【図５ａ】図４のＡ−Ａの切開断面図である。
【図５ｂ】図４のＢ−Ｂの切開断面図である。
【図６ａ】本発明の実施例によるスマート薬ケースのドアを開放した状態を示した図である。
【図６ｂ】本発明の実施例によるスマート薬ケースのドアを開放した状態を示した図である。
【図６ｃ】受納スペースの内部のラウンド状の角部を示した図である。
【図７】本発明の実施例による環にひもを結んでアクセサリーとして活用する使用状態図である。
【図８】本発明の実施例による複数個の受納ケースをステーションに積層して保管した状態を示した斜視図である。
【発明を実施するための形態】
【００２５】
以下で、図面を参照して本発明によるお知らせ機能を備えたスマート薬ケースを実施するための具体的な内容について実施例を中心として詳細に説明する。
【００２６】
図２ないし図４ａを参考すると、本発明によるお知らせ機能を備えたスマート薬ケースは、服用時間を知らせる視覚及び聴覚のお知らせ機能を備え、携帯用で簡便に使用することができるものであり、本体（１００）、受納ケース（２００）及び外部ケース（３００）を含んでからなる。
【００２７】
前記本体（１００）は、スマート薬ケースの中心部を占める円筒状のセンター部（１１０）と、前記センター部（１１０）の一側面に、外側に突出するように連結され、内部に空の空間が形成されて前記センター部（１１０）と連通された突出部（１２０）と、前記センター部（１１０）及び突出部（１２０）の内部の空の空間に装着され、通信モジュール（未図示）、コントローラ（未図示）、お知らせランプ（１１２）、スピーカー（１２１）などに電源を提供する図５ａ及び図５ｂに示されたバッテリー（１３０）を含んでなる。
【００２８】
前記センター部（１１０）は、内部に通信モジュールとコントローラが設けられ、上部にお知らせランプ（１１２）とお知らせ終了ボタン（１１３）が形成され、前記突出部（１２０）は、上部にスピーカー（１２１）が設けられる。このとき、前記センター部（１１０）は、中央にお知らせ終了ボタン（１１３）が形成され、お知らせ終了ボタン（１１３）の外側にリング状のお知らせランプ（１１２）が形成され、前記お知らせランプ（１１２）はＬＥＤからなってもよい。
【００２９】
前記コントローラは、ＰＣＢを含み、前記通信モジュールは、ユーザのスマートフォンなどのモバイル器機（Ｍ）とワイファイまたはブルートゥース（登録商標）で連結され、服用時間になると、前記モバイル器機（Ｍ）に備えられたアプリケーションからお知らせ信号を受信する。
【００３０】
このように、前記通信モジュールがユーザのモバイル器機（Ｍ）からお知らせ信号を受信すると、直ちに前記コントローラは前記お知らせランプ（１１２）を点灯または繰り返し点滅させると同時に、スピーカー（１２１）によってお知らせ音を発するようになり、さらに、自分のモバイル器機（Ｍ）でもディスプレイ画面による視覚的信号や音または振動を発生させることができる。もちろん、前記モバイル器機（Ｍ）に備えられたアプリケーションの設定によってスマート薬ケースのお知らせランプ（１１２）またはスピーカー（１２１）のいずれか一つだけを作動させることができ、モバイル器機（Ｍ）の視覚的信号や音または振動のいずれか一つまたはそれ以上を作動させることができる。
【００３１】
さらに、前記通信モジュールは、予め指定された他のモバイル機器にお知らせメッセージを発送してユーザの未服用情報を提供する機能を含む。例えば、ユーザの家族や友達など周りの人のモバイル器機の番号を、前記アプリケーションによってリストに予め保存しておいた状態で、服用時間になって前記通信モジュールがユーザのモバイル器機（Ｍ）に備えられたアプリケーションから薬の服用に関するお知らせ信号を受信すると、前記コントローラが前記お知らせランプとスピーカーを作動させてユーザに服用時間を知らせ、ユーザが前記本体（１００）に備えられたお知らせ終了ボタン（１１３）や前記アプリケーションの確認ボタンを押し忘れてユーザの服用事実が確認されない場合、前記通信モジュールまたはアプリケーションは予め指定されたモバイル機器に未服用情報に関するお知らせメッセージを発送することで、ユーザの周りの人がユーザに未服用情報を知らせてユーザが服用時間をきちんと守れれるように誘導することができる。このとき、前記お知らせメッセージの発送は、前記通信モジュールが直接発信するか、ユーザのモバイル器機（Ｍ）に設けられた該当のアプリケーションによって発信するか、サーバーを経由して発送することができるように、様々な方法によって行われることができる。
【００３２】
図４ｂを参考すると、前記モバイル器機（Ｍ）でアプリケーションが実行されると、ディスプレイ画面によって本発明のスマート薬ケースが表示されると同時に、服用時間を知らせるお知らせ時期、お知らせ回数などに関するお知らせ情報が表示され、前記本体（１００）の通信モジュールによって前記本体（１００）の使用情報、例えば、お知らせの有無などを受信してディスプレイ画面によって容易に確認することができるので、本発明のスマート薬ケースは、モバイル器機（Ｍ）と連動して便利に使用することができる。
【００３３】
そして、スマート薬ケースのお知らせランプ（１１２）とスピーカー（１２１）によって視覚的及び聴覚的に服用時間に関するお知らせが行われたとき、ユーザが前記お知らせ終了ボタン（１１３）を押すと、終了信号が発生され、終了信号を受けたコントローラはお知らせを終了し、同時に通信モジュールによって終了信号をモバイル器機（Ｍ）に送ってモバイル器機（Ｍ）の画面の視覚的信号や音または振動を終了する。
【００３４】
このように、スマート薬ケースは、モバイル器機（Ｍ）のアプリケーションと連動して薬の服用時間になると、お知らせランプ（１１２）とスピーカー（１２１）によって視聴覚的なお知らせが行われると同時に、周りの人にもお知らせメッセージを発送してユーザの服用時間を知らせるので、ユーザは服用時間を正確に守って薬を欠かすことなく服用することができる。
【００３５】
前記突出部（１２０）は、略両側部が切断されたチューブ状からなり、外周面にバッテリーを受納することができる収納カバー（未図示）が形成されてもよく、上部にスピーカー（１２１）が形成され、一側上部に把持溝（１２２）が形成されてドア（２３０）の突出した開閉片（２３１）が収容されて容易に開閉が可能になる。
【００３６】
前記受納ケース（２００）は、略中間の一部が切断されて除去されたチューブ状からなり、前記センター部（１１０）の外側に脱着可能に結合されて前記突出部の両側に連結される。
【００３７】
このとき、前記受納ケース（２００）は、複数個の受納スペース（２１０）に区切られて内部に薬が収納され、例えば、３つの受納スペース（２１０）に区切られてそれぞれ朝、昼、晩に服用する薬が収納されてもよい。
【００３８】
そして、図６ｃのように、前記受納スペース（２１０）は、内部の角部がラウンド状に形成され、ユーザが内部に手を入れて薬を容易に引き出すことができるように備えられることが好ましい。
【００３９】
さらに、前記受納ケース（２００）は、上部に蓋（２２０）が備えられ、前記蓋（２２０）は半透明のＰＰ材質からなって日光をある程度遮断すると同時に、前記受納スペース（２１０）の内部に薬が収納されているかを確認できるようにすることが好ましい。前記受納ケース（２００）の上部面がＵＶコーティングされて日光の紫外線を遮断して薬が変質することを防止できるようにすることが好ましい。
【００４０】
そして、前記蓋（２２０）の一側上部には、把持溝（２２１）が形成されてドア（２３０）の突出した開閉片（２３１）が収容されて容易に開閉が可能になる。
【００４１】
前記受納ケース（２００）は、前記蓋（２２０）の一部分は固定されており、残りの一部分が開閉するようにドア（２３０）が形成されるため、このように、前記受納スペース（２１０）の上部を覆う蓋（２２０）の一部だけが開放される方式であるので、薬を受納スペース（２１０）の内外に引き込みまたは引き出しをする度に薬が落下して滅失することを減少させることができる。
【００４２】
図６ａ及び図６ｂを参考すると、前記ドア（２３０）は、一側が前記受納スペース（２１０）にヒンジ結合され、他側に開閉片（２３１）が外側に突出形成されて把持溝（１２２、２２１）に収容され、前記ドア（２３０）の下部にはパッキング（２３２）が形成され、ドア（２３０）を閉めた状態で受納スペース（２１０）の内部が密閉されるようにすることで、薬を衛生的に保管することができ、日光、湿気、細菌汚染などの外部環境によって薬が変質することを防止することができる。
【００４３】
前記外部ケース（３００）は、前記本体（１００）と受納ケース（２００）の外側の一部を包んで連結して外部衝撃からスマート薬ケースを保護するものである。
【００４４】
このとき、前記外部ケース（３００）は、ゴム、シリコーンゴム、ウレタン、エラストマーのような弾性材質からなり、前記本体（１００）及び受納ケース（２００）と密着して連結されるが、指を用いて外部ケース（３００）の分離を容易に行うことができる。
【００４５】
さらに、前記外部ケース（３００）は、前記受納ケース（２００）の外周面を包む側部片（３１０）と、前記側部片（３１０）の上下段部からそれぞれ内側に延長形成され、前記本体（１００）と受納ケース（２００）の上下部を支持する上下部片（３２０、３３０）を含んでからなる。
【００４６】
さらに、スマート薬ケースは、コンパクトでオシャレな見掛けを有しているうえ、図７を参考すると、前記外部ケース（３００）は、一部分に環（３４０）が形成され、前記環（３４０）にはネックレスひも（Ｎ）をかけてアクセサリーのように携帯して持ち運ぶことができる。
【００４７】
併せて、図８を参考すると、前記受納ケース（２００）を前記本体（１００）と外部ケース（３００）から分離した後、分離した受納ケース（２００）を複数個積層して保管するためのステーション（Ｓ）が備えられ、一つのスマート薬ケースセットを成すことができる。
【００４８】
このとき、前記ステーションは、前記本体（１００）に似ている形態を有するが、上下方向に長く延長形成されて多数の受納ケース（２００）を装着して保管することができる。
【００４９】
例えば、前記受納ケース（２００）は、曜日別に７つが備えられるが、１つは本体（１００）と連結した後、身に携帯して使用し、残りの６つはステーション（Ｓ）に積層して保管することができ、これによって、本体（１００）と受納ケース（２００）を容易に分離して曜日別に薬ケースを入れ替えて使用することができ、便利である。
【００５０】
つまり、本発明によるお知らせ機能を備えたスマート薬ケース及びそのセットは、モバイル器機のアプリケーションと連動して薬の服用時間になると、お知らせランプとスピーカーによってお知らせが行われ、ユーザが薬の服用を忘れた場合、本人及び周りの人に未服用情報に関するお知らせメッセージを発送して未服用情報を知らせるので、ユーザは服用時間を正確に守って薬を欠かすことなく服用することができ、さらに、本体と受納ケースを容易に分離することができ、曜日別に薬ケースを入れ替えて使用することができるので便利であり、日光、湿気、細菌汚染などの外部環境と衝撃に強く、薬を衛生的に保管することができ、薬ケースが破損されにくく、コンパクトでオシャレな見掛けを有しており、アクセサリーのように身に着けて携帯して持ち運ぶことができるものである。
【００５１】
本発明において、前記実施形態は、一つの例示であって本発明がこれに限定されるものではない。本発明の特許請求の範囲に記載された技術的思想と実質的に同じ構成を有して同じ作用効果を奏するものであれば、いかなるものでも本発明の技術的範囲に含まれる。
【産業上の利用可能性】
【００５２】
本発明によるお知らせ機能を備えたスマート薬ケース及びセットは、モバイル器機のアプリケーションと連動して薬の服用時間になると、お知らせランプとスピーカーによってお知らせが行われ、ユーザが薬の服用を忘れた場合、本人及び周りの人に未服用情報に関するお知らせメッセージを発送して未服用情報を知らせるので、ユーザは服用時間を正確に守って薬を欠かすことなく服用することができる効果があるので、産業上の利用可能性がある。
【図１ａ】
2018537134.tif 000003
【図１ｂ】
2018537134.tif 000004
【図２】
2018537134.tif 000005
【図３ａ】
2018537134.tif 000006
【図３ｂ】
2018537134.tif 000007
【図４ａ】
2018537134.tif 000008
【図４ｂ】
2018537134.tif 000009
【図５ａ】
2018537134.tif 000010
【図５ｂ】
2018537134.tif 000011
【図６ａ】
2018537134.tif 000012
【図６ｂ】
2018537134.tif 000013
【図６ｃ】
2018537134.tif 000014
【図７】
2018537134.tif 000015
【図８】
2018537134.tif 000016
【国際調査報告】
2018537134.tif 000017
2018537134.tif 000018
2018537134.tif 000019
2018537134.tif 000020